(57)【特許請求の範囲】
【請求項１】
ＳＩＭカードを装着するためのＳＩＭカードソケットであって、
前記ＳＩＭカードソケットは、メインボードに設置され、
前記ＳＩＭカードソケットは、ハウジングと、信号導通端子と、カードサポータと、押し出し機構とを有し、
前記信号導通端子は、前記メインボードに位置し、前記ＳＩＭカードと導通するために用いられ、
前記ハウジングと、前記信号導通端子の位置するメインボード領域とによって、前記カードサポータと前記押し出し機構が装着される収容空間が形成され、
前記カードサポータは、異なる種類のＳＩＭカードに対し互換性のあるものであって、当該カードサポータには前記ＳＩＭカードが装着され、
前記押し出し機構は、前記カードサポータを前記収容空間からＳＩＭカードソケットの外部に押し出すためのものであり、
前記カードサポータは、前記ＳＩＭカードを装着するためのグルーブが設けられている主体を含み、
前記主体は、別途に形成されて互いに結合されるフレームと挿入ブロックとを含み、前記フレームは、前記挿入ブロックを収容し、前記挿入ブロックには、前記グルーブが設けられているＳＩＭカードソケット。
【請求項２】
前記押し出し機構は、第１のバーと、第２のバーと、押し出しピンとを含み、
常態において、前記第１のバーと前記第２のバーは互いに垂直になり、前記第１のバーの末端が前記第２のバーの先端の側部に位置し、前記第１のバーと前記第２のバーは相対的に前記収容空間に設置され、且つ、それぞれ前記カードサポータの側辺のうちの互いに隣り合う２つの側辺に平行するように設置され、
動作の際、前記押し出しピンが前記第１のバーに付勢力を印加して、前記第１のバーを付勢力の方向に沿って運動させることにより、前記第２のバーを駆動してレバー運動をさせ、前記第２のバーの末端を付勢力印加支点として、前記カードサポータの前記収容空間の内部に対向する側辺である内側辺に付勢して、前記カードサポータを前記収容空間に対して外側に動かせる請求項１に記載のＳＩＭカードソケット。
【請求項３】
ＳＩＭカードが装着されるＳＩＭカードソケットと、当該ＳＩＭカードソケットが設置されるメインボードとを含む移動端末であって、
前記ＳＩＭカードソケットは、ハウジングと、信号導通端子と、カードサポータと、押し出し機構とを有し、
前記信号導通端子は、前記メインボードに位置し、前記ＳＩＭカードと導通するために用いられ、
前記ハウジングと、前記信号導通端子の位置するメインボード領域とによって、前記カードサポータと前記押し出し機構が装着される収容空間が形成され、
前記カードサポータは、異なる種類のＳＩＭカードに対し互換性のあるものであって、当該カードサポータには前記ＳＩＭカードが装着され、
前記押し出し機構は、前記カードサポータを前記収容空間からＳＩＭカードソケットの外部に押し出すためのものであり、
前記カードサポータは、前記ＳＩＭカードを装着するためのグルーブが設けられている主体を含み、
前記主体は、別途に形成されて互いに結合されるフレームと挿入ブロックとを含み、前記フレームは、前記挿入ブロックを収容し、前記挿入ブロックには、前記グルーブが設けられている移動端末。
【請求項４】
前記押し出し機構は、第１のバーと、第２のバーと、押し出しピンとを含み、
常態において、前記第１のバーと前記第２のバーは互いに垂直になり、前記第１のバーの末端が前記第２のバーの先端の側部に位置し、前記第１のバーと前記第２のバーは相対的に前記収容空間に設置され、且つ、それぞれ前記カードサポータの側辺のうちの互いに隣り合う２つの側辺に平行するように設置され、
動作の際、前記押し出しピンが前記第１のバーに付勢力を印加して、前記第１のバーを付勢力の方向に沿って運動させることにより、前記第２のバーを駆動してレバー運動をさせ、前記第２のバーの末端を付勢力印加支点として、前記カードサポータの前記収容空間の内部に対向する側辺である内側辺に付勢して、前記カードサポータを前記収容空間に対して外側に動かせる請求項３に記載の移動端末。
【発明の詳細な説明】
【技術分野】
【０００１】
本発明は、電子製品分野に関し、特に、ＳＩＭカードソケット、及び移動端末に関する。
【背景技術】
【０００２】
ＳＩＭカードは、（Ｓｕｂｓｃｒｉｂｅｒ Ｉｄｅｎｔｉｔｙ Ｍｏｄｕｌｅ：加入者識別モジュール）の略称であり、スマートカード、ユーザ識別カードとも言われる。ＳＩＭカードには、ユーザのデータ、認証方法、及び暗号化キーが記憶され、ＧＳＭシステムに提供されてユーザＩＤの識別に用いられる。携帯電話にＳＩＭカードがインストールされていないと使用できなくなる。通常、ＳＩＭカードは、携帯電話のＳＩＭカードソケットに装着される。
【０００３】
科学技術のますますの発展、及び移動通信のますますの発展に伴い、携帯電話の構造、形、及び性能もますます更新されてきた。現在、販売されている携帯電話の種類が多く、それに適用するＳＩＭカードも種類が多い。例えば、大多数の携帯電話は、普通のＳＩＭカードを使用し、ｉｐｈｏｎｅ４とｉｐｈｏｎｅ４ｓは、マイクロＳＩＭカードを使用し、ｉｐｈｏｎｅ５はナノＳＩＭカードを使用する。現在のＳＩＭカードソケットは、一般的にＳＩＭカードを装着するためのカードハウジング、及びＳＩＭカードと導通するための信号導通端子を含む。
【０００４】
ＳＩＭカードソケットの構造の制限を受けて、あるモデルの携帯電話のＳＩＭカードソケットは、一つの種類のＳＩＭカードのみに対して互換性があるようになっている。すなわち、あるモデルの携帯電話には一つの種類のＳＩＭカードしか装着できない。例えば、ユーザがｉｐｈｏｎｅ４のマイクロＳＩＭカードをミニーＳＩＭカードに交換すると使用できなくなる。従って、ユーザが携帯電話を交換する場合、ＳＩＭカードを交換しないことを前提とすると、同じ種類のＳＩＭカードが装着される携帯電話に交換するしかない。あるいは、以前のＳＩＭカードを破棄して、異なる種類のＳＩＭカードが装着される携帯電話に交換するしかない。これは、ユーザに不便をかけるだけではなく、資源の無駄にもなってしまう。
【発明の概要】
【０００５】
本発明の実施例は、係る技術における問題を解決するために、ＳＩＭカードソケット、及び移動端末を提供し、前記ＳＩＭカードソケットを利用して、異なる種類のＳＩＭカードと互換性を持つようになり、ユーザに現在持っているＳＩＭカードを交換することなく、様様な携帯電話と互換性を持つようにする。
【０００６】
本発明に係る技術方は、以下のようである。
【０００７】
一つの局面によると、ＳＩＭカードを装着するためのＳＩＭカードソケットを提供し、当該ＳＩＭカードソケットは、メインボードに設置され、前記ＳＩＭカードソケットは、ハウジングと、信号導通端子と、カードサポータと、押し出し機構とを有し、前記信号導通端子は、前記メインボードに位置し、前記ＳＩＭカードと導通するために用いられ、前記ハウジングと、前記信号導通端子の位置するメインボード領域とによって、前記カードサポータと前記押し出し機構が装着される収容空間を形成し、前記カードサポータは、異なる種類のＳＩＭカードに対し互換性のあるものであって、当該カードサポータに前記ＳＩＭカードが装着され、前記押し出し機構は、前記カードサポータを前記収容空間からＳＩＭカードソケットの外部に押し出す。
【０００８】
好ましくは、前記押し出し機構は、第１のバーと、第２のバーと、押し出しピンとを含み、
常態において、前記第１のバーと前記第２のバーは互いに垂直に放置され、前記第１のバーの末端が前記第２のバーの先端の側部に位置し、前記第１のバーと前記第２のバーは対向して前記収容空間に設置され、それぞれ前記カードサポータの側辺のうち互いに隣り合う２つの側辺に平行するように設置され、
動作の際、前記押し出しピンが前記第１のバーに付勢力を印加して、前記第１のバーを付勢力の方向に沿って運動させることにより、前記第２のバーを駆動してレバー運動をさせ、前記第２のバーの末端を付勢力印加支点として、前記カードサポータの前記収容空間の内部に対向する側辺である内側辺に付勢して、前記カードサポータを前記収容空間に対して外側に動かせる。
【０００９】
好ましくは、前記カードサポータは、前記ＳＩＭカードを装着するためのグルーブが設けられている主体を含む。
【００１０】
好ましくは、前記カードサポータは、一体化の構造である。
【００１１】
好ましくは、前記カードサポータは、分離式の構造である。
【００１２】
さらに好ましくは、前記主体は、別途に形成されて互いに結合されるフレームと挿入ブロックとを含み、前記フレームは、前記挿入ブロックを収容し、前記挿入ブロックには、前記グルーブが設けられている。
【００１３】
別の局面によると、ＳＩＭカードが装着されるＳＩＭカードソケットと、当該ＳＩＭカードソケットが設置されるメインボードとを含む移動端末を提供し、前記ＳＩＭカードソケットは、ハウジングと、信号導通端子と、カードサポータと、押し出し機構とを有し、前記信号導通端子は、前記メインボードに位置し、前記ＳＩＭカードと導通するために用いられ、前記ハウジングと、前記信号導通端子の位置するメインボード領域とによって、前記カードサポータと前記押し出し機構が装着される収容空間が形成され、前記カードサポータは、異なる種類のＳＩＭカードに対し互換性のあるものであって、当該カードサポータには前記ＳＩＭカードが装着され、前記押し出し機構は、前記カードサポータを前記収容空間からＳＩＭカードソケットの外部に押し出すためのものである。
【００１４】
好ましくは、前記押し出し機構は、第１のバーと、第２のバーと、押し出しピンとを含み、
常態において、前記第１のバーと前記第２のバーは互いに垂直になり、前記第１のバーの末端が前記第２のバーの先端の側部に位置し、前記第１のバーと前記第２のバーは相対的に前記収容空間に設置され、且つ、それぞれ前記カードサポータの側辺のうちの互いに隣り合う２つの側辺に平行するように設置され、
動作の際、前記押し出しピンが前記第１のバーに付勢力を印加して、前記第１のバーを付勢力の方向に沿って運動させることにより、前記第２のバーを駆動してレバー運動をさせ、前記第２のバーの末端を付勢力印加支点として、前記カードサポータの前記収容空間の内部に対向する側辺である内側辺に付勢して、前記カードサポータを前記収容空間に対して外側に動かせる。
【００１５】
好ましくは、前記カードサポータは、前記ＳＩＭカードを装着するためのグルーブが設けられている主体を含む。
【００１６】
好ましくは、前記カードサポータは、一体化の構造である。
【００１７】
好ましくは、前記カードサポータは、分離式の構造である。
【００１８】
さらに好ましくは、前記主体は、別途に形成されて互いに結合されるフレームと挿入ブロックとを含み、前記フレームは、前記挿入ブロックを収容し、前記挿入ブロックには、前記グルーブが設けられている。
【００１９】
本発明の実施例に係る技術案は、以下のような有益な効果を有する。本発明の実施例によると、押し出し機構４によって、前記カードサポータを前記収容空間から押し出し、異なるカードサポータを交換することによって、前記ＳＩＭカードソケットが、異なる種類のＳＩＭカードに対して互換性を持つようにし、さらに前記ＳＩＭカードを有する移動端末が、異なる種類のＳＩＭカードに対し互換性を持つようにし、ユーザが現在持っているＳＩＭカードを交換することなく、複数の種類の携帯電話と互換性を持つようにし、ユーザに便利を与えるだけでなく、ユーザの使用体験を向上させ、資源の無駄も減らす。
【図面の簡単な説明】
【００２０】
以下に、本発明の実施例の技術案についてさらに明確に説明するために、実施例の説明に必要な図面を簡単に紹介する。以下の記載に係る図面は、ただ本発明の一部の実施例であり、当業者にとって、このような図面から他の図面を得ることは自明なことである。
【００２１】
【図１】本発明の実施例に係るＳＩＭカードの正面図である。
【図２】本発明の図１の背面図である。
【図３】本発明の図２の右から見た図である。
【図４】本発明の実施例に係るＳＩＭカード、信号導通端子、カードサポータ、及び押し出し機構の組立て図である。
【図５】本発明の一つの実施例に係るカードサポータの構造図である。
【図６】本発明の別の実施例に係るカードサポータの構造図である。
【図７】本発明のさらに別の実施例に係るカードサポータの構造図である。
【図８】本発明のさらに別の実施例に係るカードサポータの構造図である。
【図９】本発明の実施例に係る移動端末の構造図である。
【発明を実施するための形態】
【００２２】
以下に、本発明の目的、技術案、及びメリットをさらに明確にさせるために、図面を参照しながら本発明の実施例をさらに詳しく記述する。
【００２３】
実施例１
図１、図２、図３、及び図４を参照しながら、図２を主として本発明の実施例を説明すると、本発明の実施例は、ＳＩＭカード６０を装着するためのＳＩＭカードソケットを提供する。当該ＳＩＭカードソケットは、メインボード（未図示）に設置され、ハウジング１と、信号導通端子２と、カードソケット３と、押し出し機構４（図４を参照）とを含む。前記信号導通端子２は、前記メインボードに位置し、前記ＳＩＭカード６０と導通するために用いられる。前記ハウジング１と、前記信号導通端子２の位置するメインボード領域とによって、前記カードサポータ３と前記押し出し機構４（図４を参照）が装着される収容空間を形成する。前記カードサポータ３は、異なる種類のＳＩＭカードに対し互換性のあるものであって、当該カードサポータ３に前記ＳＩＭカード６０が装着される。前記押し出し機構４（図４を参照）は、前記カードサポータ３を前記収容空間からＳＩＭカードソケットの外部に押し出すために用いられる。
【００２４】
図２に示されたように、本発明の実施例において、前記押し出し機構４によって、前記カードサポータ３を前記収容空間から押し出し、異なるカードサポータ３を交換することによって、前記ＳＩＭカードソケットが、異なる種類のＳＩＭカード６０と互換性を持つようにし、さらに前記ＳＩＭカード６０を有する移動端末が、異なる種類のＳＩＭカードと互換性を持つようにし、ユーザが現在持っているＳＩＭカード６０を交換することなく、複数の種類の携帯電話と互換性を持つことになり、ユーザに便利を与るだけでなく、ユーザの使用体験を向上させ、資源の無駄も減らす。
【００２５】
図２に示されたように、本実施例において、前記信号導通端子２が位置するメインボード領域と前記ハウジングは、一体に形成されることが好ましい。
【００２６】
もちろん、前記信号導通端子２が位置するメインボード領域と前記ハウジングは、例えばファスナー結合のように、別途に形成されて結合されてもよい。
【００２７】
図４に示されたように、本実施例において、前記押し出し機構は、第１のバー４１、第２のバー４２、及び押し出しピン４３を含むことが好ましい。
【００２８】
常態において、前記第１のバー４１と前記第２のバー４２は互いに垂直に放置され、前記第１のバーの末端４１Ｂが前記第２のバーの先端４２Ａの側部に位置し、前記第１のバー４１と前記第２のバー４２は対向して前記収容空間に設置され、それぞれ前記カードサポータの側辺のうち互いに隣り合う２つの側辺に平行するように設置される。
【００２９】
動作の際、前記押し出しピン４３が前記第１のバー４１に付勢して、前記第１のバー４１を付勢力の方向に沿って運動させることにより、前記第２のバー４２を駆動してレバー運動をさせ、前記第２のバーの末端４２Ｂを付勢力印加支点として、前記カードサポータの前記収容空間の内部に対向する側辺である内側辺に付勢して、前記カードサポータを前記収容空間に対して外側に動かせる。
【００３０】
ここで、「先端」、「末端」は、いずれも相対的な概念であり、本実施例において、第１のバー４１の押し出しピン４３と接触する端部を第１のバーの先端４１Ａと定義し、第１のバー４１の他端を第１のバーの末端４１Ｂと定義する。第２のバー４２の第１のバー４１と接触する端部を第２のバーの先端４１Ａと定義し、第２のバー４２の他端を第２バーの末端４２Ｂと定義する。
【００３１】
もちろん、当業者は、前記押し出し機構４が上記の実施例の方式に限定されず、ばね板の構造を採用してもよいことを理解すべきである。
【００３２】
図４に示されたように、ＳＩＭカード６０の装着過程は、以下のようである。ＳＩＭカード６０をカードサポータ３に放置し、ＳＩＭカード６０が放置されたカードサポータ３をハウジング１の収容空間に挿入すると、ＳＩＭカード６０の装着が完了する。ＳＩＭカード６０の交換過程は、以下のようである。押し出しピン４３がカードサポータ３を通過して押し出し機構４の第１のバーの先端４１Ａに接触するようにし、押し出しピン４３に左への付勢力を印加することによって、第１のバー４１が前記付勢力を受けて左へ移動するようにする。これによって、押し出し機構４の第１のバーの末端４１Ｂと第２のバーの先端４２Ａを接触させ、第２のバー４２をレバー運動をさせ、第２のバーの末端４２Ｂを右へ動かせてカードサポータ３を収容空間から押し出すようにする。これによって、ＳＩＭカード６０の交換を実現する。ここで、同じ種類のＳＩＭカード６０の交換は、カードサポータ３の交換を必要とせず、異なる種類のＳＩＭカード６０の交換は、異なるカードサポータ３の交換を通じて実現する。
【００３３】
図５に示されたように、前記カードサポータ３は、前記ＳＩＭカード６０を装着するためのグルーブ３２が設けられている主体３１を含むことが好ましい。
【００３４】
図５〜図７に示されたように、前記カードサポータ３が一体に形成されることがさらに好ましい。すなわち、主体３１が一体に形成されることがさらに好ましい。
【００３５】
図３に示されたように、前記カードサポータ３の主体３１には、前記押し出しピン４３（図４を参照）を通過させ、押し出しピン４３（図４を参照）をガイドするためのホール３３が設けられている。
【００３６】
図５に示されたように、本実施例において、前記カードサポータ３は、ミニーＳＩＭカードに対し互換性のあるカードサポータである。
【００３７】
図６に示されたように、本実施例において、前記カードサポータ３は、マイクロＳＩＭカードに対し互換性のあるカードサポータである。
【００３８】
図７に示されたように、本実施例において、前記カードサポータ３は、ナノＳＩＭカードに対し互換性のあるカードサポータである。
【００３９】
図８に示されたように、前記カードサポータ３は、分離式の構造を有する。
【００４０】
図８において、前記主体３１は、分離式の構造であり、前記本体３１は、別途に形成されて結合されるフレーム３１Ａと挿入ブロック３１Ｂを含み、前記フレーム３１Ａは、前記挿入ブロック３１Ｂを収容し、前記挿入ブロック３１Ｂには、前記グルーブ３２が設けられ、前記グルーブ３２は前記ＳＩＭカード６０に対し互換性がある。本実施例によると、異なる挿入ブロック３１Ｂを交換することによって、異なる種類のＳＩＭカード６０と互換性を持つ目的を果たす。
【００４１】
実施例２
図９に示されたように、本発明の実施例に係る移動端末１００は、ＳＩＭカード６０（図２を参照）が装着されるＳＩＭカードソケット５０、及び当該ＳＩＭカードソケット５０が設置されるメインボード７０を含む。図２を参照すると、前記ＳＩＭカードソケットは、ハウジング１、信号導通端子２、カードサポータ３、及び押し出し機構４（図４を参照）を含む。前記信号導通端子２は、メインボード７０（図９を参照）に位置し、前記ＳＩＭカード６０と導通するために用いられる。前記ハウジング１と、前記信号導通端子２の位置するメインボード領域とによって、前記カードサポータ３と前記押し出し機構４（図４を参照）が装着される収容空間（未図示）を形成する。前記カードサポータ３は、異なる種類のＳＩＭカードに対し互換性のあるものであって、当該カードサポート３に前記ＳＩＭカード６０が装着される。前記押し出し機構４（図４を参照）は、前記カードサポータ３を前記収容空間からＳＩＭカードソケットの外部に押し出すために用いられる。
【００４２】
図２に示されたように、本発明の実施例において、前記押し出し機構４によって、前記カードサポータ３を前記収容空間から押し出し、異なるカードサポータ３を交換することによって前記ＳＩＭカードソケットと、異なる種類のＳＩＭカード６０とが互換性を持つようにし、さらに前記ＳＩＭカード６０を有する移動端末が異なる種類のＳＩＭカードと互換性を持つようにし、ユーザが現在持っているＳＩＭカード６０を交換することなく、複数の種類の携帯電話と互換性を持つことができ、ユーザに便利を与えるだけでなく、ユーザの使用体験を向上させ、資源の無駄も減らす。
【００４３】
図２に示されたように、本実施例において、前記信号導通端子２が位置するメインボード領域と前記ハウジングは、一体に形成されることが好ましい。
【００４４】
もちろん、前記信号導通端子２が位置するメインボード領域と前記ハウジングは、例えばファスナー結合のように、別途に形成されて結合されてもよい。
【００４５】
図４に示されたように、本実施例において、前記押し出し機構は、第１のバー４１、第２のバー４２、及び押し出しピン４３を含むことが好ましい。
【００４６】
常態において、前記第１のバー４１と前記第２のバー４２は互いに垂直に放置され、前記第１のバーの末端４１Ｂが前記第２のバーの先端４２Ａの側部に位置し、前記第１のバー４１と前記第２のバー４２は対向して前記収容空間に設置され、それぞれ前記カードサポータの側辺のうち互いに隣り合う２つの側辺に平行するように設置される。
【００４７】
動作の際、前記押し出しピン４３が前記第１のバー４１に付勢力を印加して、前記第１のバー４１を付勢力の方向に沿って運動させることにより、前記第２のバー４２を駆動してレバー運動をさせ、前記第２のバーの末端４２Ｂを付勢力印加支点として、前記カードサポータの前記収容空間の内部に対向する側辺である内側辺に付勢して、前記カードサポータを前記収容空間に対して外側に動かせる。ここで、「先端」、「末端」は、いずれも相対的な概念であり、本実施例において、第１のバー４１の押し出しピン４３と接触する端部を第１のバーの先端４１Ａと定義し、第１のバー４１の他端を第１のバーの末端４１Ｂと定義する。第２のバー４２の第１のバー４１と接触する端部を第２のバーの先端４１Ａと定義し、第２のバー４２の他端を第２バーの末端４２Ｂと定義する。
【００４８】
もちろん、当業者は、前記押し出し機構４が上記の実施例の方式に限定されず、ばね板の構造を採用してもよいことを理解すべきである。
【００４９】
図４に示されたように、ＳＩＭカード６０の装着過程は、以下のようである。ＳＩＭカード６０をカードサポータ３に放置し、ＳＩＭカード６０が放置されたカードサポータ３をハウジング１の収容空間に挿入すると、ＳＩＭカード６０の装着が完了する。ＳＩＭカード６０の交換過程は、以下のようである。押し出しピン４３がカードサポータ３を通過して押し出し機構４の第１のバーの先端４１Ａに接触するようにし、押し出しピン４３に左への付勢力を印加することによって、第１のバー４１が前記付勢力を受けて左へ移動するようにする。これによって、押し出し機構４の第１のバーの末端４１Ｂと第２のバーの先端４２Ａを接触させ、第２のバー４２をレバー運動をさせ、第２のバーの末端４２Ｂを右へ動かせてカードサポータ３を収容空間から押し出すようにする。これによって、ＳＩＭカード６０の交換を実現する。ここで、同じ種類のＳＩＭカード６０の交換は、カードサポータ３の交換を必要とせず、異なる種類のＳＩＭカード６０の交換は、異なるカードサポータ３の交換を通じて実現する。
【００５０】
図５に示されたように、前記カードサポータ３は、前記ＳＩＭカード６０を装着するためのグルーブ３２が設けられている主体３１を含む。
【００５１】
図５〜図７に示されたように、前記カードサポータ３が一体に形成される。すなわち、主体３１が一体に形成される。
【００５２】
図３に示されたように、前記カードサポータ３の主体３１には、前記押し出しピン４３（図４を参照）を通過させ、押し出しピン４３（図４を参照）をガイドするためのホール３３が設けられていることが好ましい。
【００５３】
図５に示されたように、本実施例において、前記カードサポータ３は、ミニーＳＩＭカードに対し互換性のあるカードサポータである。
【００５４】
図６に示されたように、本実施例において、前記カードサポータ３は、マイクロＳＩＭカードに対し互換性のあるカードサポータである。
【００５５】
図７に示されたように、本実施例において、前記カードサポータ３は、ナノＳＩＭカードに対し互換性のあるカードサポータである。
【００５６】
図８に示されたように、前記カードサポータ３は、分離式の構造を有することが好ましい。
【００５７】
図８において、前記主体３１は、分離式の構造であり、前記本体３１は、別途に形成されて結合されるフレーム３１Ａと挿入ブロック３１Ｂを含み、前記フレーム３１Ａは、前記挿入ブロック３１Ｂを収容し、前記挿入ブロック３１Ｂには、前記グルーブ３２が設けられ、前記グルーブ３２は前記ＳＩＭカード６０に対し互換性があることが好ましい。本実施例によると、異なる挿入ブロック３１Ｂを交換することによって、異なる種類のＳＩＭカード６０と互換性を持つ目的を果たす。
【００５８】
上記の本発明の実施例の番号は、ただ説明するためのものであり、実施例の優劣を代表するものではない。
【００５９】
以上は、ただ本発明の好ましい実施例であり、本発明を限定するものではない。本発明の精神と原則の範囲内での全ての修正、均等の置き換え、改善等は、いずれも本発明の保護の範囲に含まれる。
【符号の説明】
【００６０】
１  ハウジング
２  信号導通端子
３  カードサポータ
３１  主体
３１Ａ  フレーム
３１Ｂ  挿入ブロック
３２  グルーブ
３３  ホール
４  押し出し機構
４１  第１のバー
４１Ａ  第１のバーの先端
４１Ｂ  第１のバーの末端
４２  第２のバー
４２Ａ  第２のバーの先端
４２Ｂ  第２のバーの末端
４３  押し出しピン
５０  ＳＩＭカードソケット
６０  ＳＩＭカード
７０  メインボード
１００  移動端末
【図１】
0006014247.tif 000002
【図２】
0006014247.tif 000003
【図３】
0006014247.tif 000004
【図４】
0006014247.tif 000005
【図５】
0006014247.tif 000006
【図６】
0006014247.tif 000007
【図７】
0006014247.tif 000008
【図８】
0006014247.tif 000009
【図９】
0006014247.tif 000010